(57)【要約】【課題】課題付与演出中における大当りへの期待感を継続して抱かせること。【解決手段】図柄変動ゲーム中に所定の演出を出現させることを課題として遊技者に提示し、その提示した演出の出現によって大当り図柄を導出する課題付与演出（ミッション演出）を実行させる場合は、前記課題となる演出として、図柄変動ゲームの出現タイミングが異なる演出を複数種類決定する。そして、課題付与演出の開始時には、遊技者に対して複数の課題となる演出を一括して提示する。【選択図】図９
2008125626.tif 000002
【特許請求の範囲】
【請求項１】
複数種類の図柄を変動させて行う図柄変動ゲームを表示する表示手段と、
前記図柄変動ゲーム中に実行させる演出パターンを複数種類の演出パターンの中から選択し、その選択した演出パターンに基づく演出を前記表示手段に実行させる演出制御手段と、を備え、
大当りか否かの大当り抽選に当選した場合には、前記図柄変動ゲームで予め定めた大当り図柄を確定停止表示させた後、大当り遊技を行う遊技機において、
前記演出制御手段は、前記演出パターンに基づく演出を出現させることを課題として遊技者に提示し、その提示した前記演出の出現によって前記大当り図柄を導出する課題付与演出を実行させる課題付与演出制御手段を含み、
前記課題付与演出は、前記課題として複数の演出を提示し、その提示された複数の演出のうち、少なくとも１つの演出の出現によって大当り図柄を導出するように制御され、
前記課題付与演出制御手段は、前記課題付与演出を開始させる場合、前記図柄変動ゲームの出現タイミングが異なる演出に対応する演出パターンを複数選択し、その選択した演出パターンに基づく演出を前記課題付与演出の開始時に一括して遊技者に提示し、前記課題付与演出の開始後は前記大当り抽選に当選していないときにおける遊技者に提示した前記演出の実行を規制することを特徴とする遊技機。
【請求項２】
前記課題付与演出制御手段は、少なくとも連続する２回の図柄変動ゲームを実行可能な期間継続して前記課題付与演出を実行させることを特徴とする請求項１に記載の遊技機。
【請求項３】
前記課題付与演出制御手段は、遊技者に提示する前記演出に対応する演出パターンとして、大当りとなるか否かの可能性を示唆する予告演出の演出パターンと前記表示手段に停止表示させる図柄を示す演出パターンを選択することを特徴とする請求項１又は請求項２に記載の遊技機。
【請求項４】
前記課題付与演出制御手段は、遊技者に提示する前記演出に対応する演出パターンとして、前記図柄変動ゲームの開始後であってリーチが形成される前に実行される大当りとなるか否かの可能性を示唆するリーチ前予告演出の演出パターンと、前記リーチを形成するリーチ図柄を示す演出パターンと、前記リーチの形成後に実行される大当りとなるか否かの可能性を示唆するリーチ後予告演出の演出パターンの３種類の演出パターンを選択することを特徴とする請求項１〜請求項３のうちいずれか一項に記載の遊技機。
【発明の詳細な説明】
【技術分野】
【０００１】
本発明は、遊技者に課題を付与する形態の課題付与演出を行う遊技機に関する。
【背景技術】
【０００２】
従来、遊技機の一種であるパチンコ遊技機では、遊技者の興趣を向上させるために様々な内容の遊技演出が行われている。例えば、「○図柄でリーチをかけろ！」などといった課題（以下、「ミッション」という）を付与する課題付与演出を行い、見掛け上、ミッションを達成したら大当りとなるように制御するパチンコ遊技機が提案されている（例えば、特許文献１参照）。この種のパチンコ遊技機において遊技者に付与されるミッションとしては、前述のようにリーチを形成するリーチ図柄を指定するミッションに限らず、リーチ演出を指定するミッションや予告演出を指定するミッションなどもある。
【特許文献１】特開２００６−５５２３２号公報
【発明の開示】
【発明が解決しようとする課題】
【０００３】
しかしながら、従来のパチンコ遊技機では、ミッションの種類は複数種類存在するものの、１回の課題付与演出で付与されるミッションは１種類であった。このため、例えば「３の図柄でリーチをかけろ！」というミッションが付与された課題付与演出中に、５の図柄が表示される場合などのミッションとは異なる態様が出現すると、その変動に対して大当りへの期待を抱くことができず、遊技の興趣を低下させる虞があった。特に、特許文献１のパチンコ遊技機を含め、課題付与演出を行うパチンコ遊技機では、殆どの場合、ミッションの達成を条件として大当りとなるように制御が実行されるので、前述の問題が顕著に現れる。
【０００４】
この発明は、このような従来の技術に存在する問題点に着目してなされたものであり、その目的は、課題付与演出中における大当りへの期待感を継続して抱くことができる遊技機を提供することにある。
【課題を解決するための手段】
【０００５】
上記問題点を解決するために、請求項１に記載の発明は、複数種類の図柄を変動させて行う図柄変動ゲームを表示する表示手段と、前記図柄変動ゲーム中に実行させる演出パターンを複数種類の演出パターンの中から選択し、その選択した演出パターンに基づく演出を前記表示手段に実行させる演出制御手段と、を備え、大当りか否かの大当り抽選に当選した場合には、前記図柄変動ゲームで予め定めた大当り図柄を確定停止表示させた後、大当り遊技を行う遊技機において、前記演出制御手段は、前記演出パターンに基づく演出を出現させることを課題として遊技者に提示し、その提示した前記演出の出現によって前記大当り図柄を導出する課題付与演出を実行させる課題付与演出制御手段を含み、前記課題付与演出は、前記課題として複数の演出を提示し、その提示された複数の演出のうち、少なくとも１つの演出の出現によって大当り図柄を導出するように制御され、前記課題付与演出制御手段は、前記課題付与演出を開始させる場合、前記図柄変動ゲームの出現タイミングが異なる演出に対応する演出パターンを複数選択し、その選択した演出パターンに基づく演出を前記課題付与演出の開始時に一括して遊技者に提示し、前記課題付与演出の開始後は前記大当り抽選に当選していないときにおける遊技者に提示した前記演出の実行を規制することを要旨とする。
【０００６】
請求項２に記載の発明は、請求項１に記載の遊技機において、前記課題付与演出制御手段は、少なくとも連続する２回の図柄変動ゲームを実行可能な期間継続して前記課題付与演出を実行させることを要旨とする。
【０００７】
請求項３に記載の発明は、請求項１又は請求項２に記載の遊技機において、前記課題付与演出制御手段は、遊技者に提示する前記演出に対応する演出パターンとして、大当りとなるか否かの可能性を示唆する予告演出の演出パターンと前記表示手段に停止表示させる図柄を示す演出パターンを選択することを要旨とする。
【０００８】
請求項４に記載の発明は、請求項１〜請求項３のうちいずれか一項に記載の遊技機において、前記課題付与演出制御手段は、遊技者に提示する前記演出に対応する演出パターンとして、前記図柄変動ゲームの開始後であってリーチが形成される前に実行される大当りとなるか否かの可能性を示唆するリーチ前予告演出の演出パターンと、前記リーチを形成するリーチ図柄を示す演出パターンと、前記リーチの形成後に実行される大当りとなるか否かの可能性を示唆するリーチ後予告演出の演出パターンの３種類の演出パターンを選択することを要旨とする。
【発明の効果】
【０００９】
本発明によれば、課題付与演出中における大当りへの期待感を継続して抱くことができる。
【発明を実施するための最良の形態】
【００１０】
以下、本発明を遊技機の一種であるパチンコ遊技機（所謂、パチンコ機）に具体化した一実施形態を図１〜図９にしたがって説明する。
図１には、パチンコ遊技機１０の機表側が略示されており、機体の外郭をなす外枠１１の開口前面側には、各種の遊技用構成部材をセットする縦長方形の中枠１２が開閉及び着脱自在に組み付けられている。中枠１２の前面側には、機内部に配置された遊技盤１３を透視可能な状態で保護するためのガラス枠を備えた前枠１４と上球皿１５を有する上皿ユニット１５ａが共に横開き状態で開閉可能に組み付けられている。前枠１４の前面側及び遊技盤１３の遊技領域１３ａには、点灯（点滅）又は消灯し、発光装飾に基づく遊技演出（発光演出）を行う装飾ランプ１６が設けられている。外枠１１の下部（パチンコ遊技機１０の下部）には、各種音声（効果音）を出力し、音声出力に基づく遊技演出（音声演出）を行うスピーカ１７が配置されている。中枠１２の下部には、下球皿１８を有する下皿ユニット１８ａ及び発射装置１９が装着されている。そして、遊技者が発射装置１９を操作することにより、上球皿１５に貯留されている遊技球が遊技盤１３の遊技領域１３ａに発射されるようになっている。なお、遊技領域１３ａに向けて発射される遊技球は、発射装置１９の操作量に応じて発射の強弱が設定される。
【００１１】
遊技盤１３の前面には、発射装置１９の操作によって発射された遊技球を誘導し、かつパチンコ遊技の主体となるほぼ円形の遊技領域１３ａを形成する誘導レール２０が円形渦巻き状に敷設されている。この誘導レール２０によって遊技盤１３には、該遊技盤１３の左下方から左上方に向かって延びる遊技球の誘導路２１ａが形成されるとともに、誘導レール２０の内側に遊技領域１３ａが形成される。そして、誘導路２１ａの下方には、中枠１２に装着されるとともに、発射ユニットの作動によって打球される遊技球を案内する図示しない発射レールが配置されている。また、遊技盤１３の前面であって誘導レール２０の外側となる遊技領域１３ａ外は、パチンコ遊技に直接関与しない非遊技領域１３ｂとされている。
【００１２】
遊技盤１３の遊技領域１３ａのほぼ中央（センター）には、各種の表示器や各種の飾りを施した表示枠体（センター役物）２３が装着されている。表示枠体２３の略中央には、正面視横長矩形に開口するセット口２３ａが形成されており、当該セット口２３ａに整合して表示枠体２３には液晶ディスプレイ型の画像表示部ＧＨを有する表示手段としての演出表示器Ｈ２が装着されている。演出表示器Ｈ２には、複数種類の図柄を変動させて行う図柄変動ゲームを含み、該ゲームに関連して実行される各種の表示演出（遊技演出）が画像表示されるようになっている。本実施形態において演出表示器Ｈ２の図柄変動ゲームでは、複数列（本実施形態では３列）の図柄からなる図柄組み合わせを導出する。なお、演出表示器Ｈ２の図柄変動ゲームは、表示演出を多様化するための飾り図柄（演出図柄）を用いて行われる。
【００１３】
また、表示枠体２３の下方には、発光型の表示手段としての特別図柄表示器Ｈ１が配置されている。本実施形態の特別図柄表示器Ｈ１は、７セグメントＬＥＤ式の表示器とされている。特別図柄表示器Ｈ１には、複数種類の図柄を変動させて行う図柄変動ゲームが発光表示されるようになっている。本実施形態において特別図柄表示器Ｈ１の図柄変動ゲームでは、複数列（本実施形態では２列）の図柄からなる図柄組み合わせを導出する。なお、特別図柄表示器Ｈ１の図柄変動ゲームは、大当りか否かの内部抽選（大当り抽選）の結果を示す報知用の図柄となる特別図柄を用いて行われる。
【００１４】
特別図柄表示器Ｈ１と演出表示器Ｈ２では、図柄変動ゲームの開始により同時に図柄（特別図柄と飾り図柄）の変動が開始される。具体的には、図柄変動ゲームの開始に伴って、特別図柄表示器Ｈ１では各列の特別図柄の変動が開始する一方で、演出表示器Ｈ２では各列の飾り図柄の変動が開始する。そして、特別図柄表示器Ｈ１と演出表示器Ｈ２には、大当り抽選の抽選結果に基づき、図柄変動ゲームの終了によって同時に大当り図柄又ははずれ図柄が確定的に停止表示される。このとき、特別図柄表示器Ｈ１と演出表示器Ｈ２では、大当り抽選の抽選結果が大当りである場合には何れの表示器にも大当り図柄が確定的に停止表示され、大当り抽選の抽選結果がはずれである場合には何れの表示器にもはずれ図柄が確定的に停止表示される。大当り図柄は、大当り抽選の抽選結果が大当りである場合に図柄変動ゲームで確定的に停止表示されるものであり、はずれ図柄は、大当り抽選の抽選結果がはずれである場合に図柄変動ゲームで確定的に停止表示されるものである。
【００１５】
本実施形態において特別図柄表示器Ｈ１には、［００］〜［９９］までの１００種類の数字と、［−−］の符号が特別図柄として表示されるようになっている。特別図柄表示器Ｈ１に確定停止表示された図柄が［００］〜［９９］の数字の場合、その図柄から大当りを認識できる。この大当りを認識できる図柄が、特別図柄の大当り図柄となる。また、特別図柄表示器Ｈ１に確定停止表示された図柄が［−−］の符号の場合、その図柄からはずれを認識できる。このはずれを認識できる図柄が、特別図柄のはずれ図柄となる。
【００１６】
その一方、本実施形態において演出表示器Ｈ２には、各列毎に、「１」〜「８」までの数字と、ブランク図柄が飾り図柄として表示されるようになっている。ブランク図柄は、各数字の間に配置される図柄であって、ブランク図柄を含んで構成される図柄組み合わせははずれとなる。そして、演出表示器Ｈ２の図柄変動ゲームで導出される大当り図柄とはずれ図柄は、各列に導出された飾り図柄の組み合わせによって構成される。大当り図柄は、全列が同一種類の飾り図柄からなる組み合わせで構成されるとともに、はずれ図柄は、全列の飾り図柄の種類が異なる組み合わせ及び１列の飾り図柄の種類が他の列とは異なる組み合わせで構成される。
【００１７】
また、本実施形態のパチンコ遊技機１０では、演出表示器Ｈ２の表示領域（画像表示面）を特別図柄表示器Ｈ１の表示領域よりも大きく形成し、演出表示器Ｈ２を遊技者の正面に目立つように配置している。このため、遊技者は、特別図柄表示器Ｈ１よりも自身の目の前で多彩な画像によって表示演出（例えば、リーチ演出や予告演出）が行われる演出表示器Ｈ２の表示内容に注目し、該演出表示器Ｈ２の図柄変動ゲームで導出されて確定停止表示される図柄組み合わせから大当り又ははずれを認識することになる。
【００１８】
前記リーチ演出は、演出表示器Ｈ２で行われる図柄変動ゲームにおいて予め定めた特定列の飾り図柄が同一種類の図柄で、かつ特定列以外の列が変動する組み合わせで構成されるリーチ図柄が停止表示されることによって行われる演出である。リーチ図柄は、本実施形態のパチンコ遊技機１０のように３列の飾り図柄を表示させる場合であって図柄停止順序が左列→右列→中列の場合、左列の飾り図柄と右列の飾り図柄が同一種類となる組み合わせで構成される。予告演出は、１回の図柄変動ゲームにおいて該ゲームにおける大当りか否かの可能性（すなわち、大当りの期待度）を示唆する演出である。この予告演出は、内部抽選で大当りが決定されている場合の図柄変動ゲームで出現すると、その予告が該ゲームで現実化されて大当りとなる。その一方で、予告演出は、内部抽選ではずれが決定されている場合の図柄変動ゲームで出現すると、その予告が該ゲームで現実化されずにはずれとなる。
【００１９】
また、本実施形態の演出表示器Ｈ２の画像表示部ＧＨには、図２に示すように９つの図柄表示位置Ｄ１〜Ｄ９が定められているとともに、左列（第１図柄列）と、中列（第２図柄列）と、右列（第３図柄列）の３つの図柄列が変動表示されるようになっている。これら９つの図柄表示位置Ｄ１〜Ｄ９は、縦方向に上段、中段、下段となるよう３行に配置されているとともに、横方向に右、中、左となるよう３列に配置されている。そして、遊技者側から見て最も左に位置する第１列用上図柄表示位置Ｄ１と、第１列用中図柄表示位置Ｄ２と、第１列用下図柄表示位置Ｄ３は、左列に対応する図柄表示位置とされ、左列の図柄配列において連続する３個の飾り図柄が表示されるようになっている。また、遊技者側から見て中央に位置する第２列用上図柄表示位置Ｄ４と、第２列用中図柄表示位置Ｄ５と、第２列用下図柄表示位置Ｄ６は、中列に対応する図柄表示位置とされ、中列の図柄配列において連続する３個の飾り図柄が表示されるようになっている。また、遊技者側から見て最も右に位置する第３列用上図柄表示位置Ｄ７と、第３列用中図柄表示位置Ｄ８と、第３列用下図柄表示位置Ｄ９は、右列に対応する図柄表示位置とされ、右列の図柄配列において連続する３個の飾り図柄が表示されるようになっている。この構成により、本実施形態の演出表示器Ｈ２では、左列の右隣に中列が配置されるとともに、該中列の右隣に右列が配置され、これらの各図柄列が縦方向にスクロール変動されるようになっている。なお、各列では、上段と下段の各図柄表示位置に数字の図柄が停止表示されると中段にブランク図柄が停止表示され、中段の図柄表示位置に数字の図柄が停止表示されると上段と下段にブランク図柄が停止表示される。
【００２０】
そして、演出表示器Ｈ２では、第１列用中図柄表示位置Ｄ２、第２列用中図柄表示位置Ｄ５、及び第３列用中図柄表示位置Ｄ８に表示された３つの図柄の図柄組み合わせが有効とされ、これら３つの図柄表示位置Ｄ２，Ｄ５，Ｄ８によって図柄組み合わせが有効となる有効ラインＬ１が形成される。また、演出表示器Ｈ２では、第１列用上図柄表示位置Ｄ１、第２列用上図柄表示位置Ｄ４、及び第３列用上図柄表示位置Ｄ７に表示された３つの図柄の図柄組み合わせが有効とされ、これら３つの図柄表示位置Ｄ１，Ｄ４，Ｄ７によって図柄組み合わせが有効となる有効ラインＬ２が形成される。また、演出表示器Ｈ２では、第１列用下図柄表示位置Ｄ３、第２列用下図柄表示位置Ｄ６、及び第３列用下図柄表示位置Ｄ９に表示された３つの図柄の図柄組み合わせが有効とされ、これら３つの図柄表示位置Ｄ３，Ｄ６，Ｄ９によって図柄組み合わせが有効となる有効ラインＬ３が形成される。
【００２１】
また、演出表示器Ｈ２では、第１列用下図柄表示位置Ｄ３、第２列用中図柄表示位置Ｄ５、及び第３列用上図柄表示位置Ｄ７に表示された３つの図柄の図柄組み合わせが有効とされ、これら３つの図柄表示位置Ｄ３，Ｄ５，Ｄ７によって図柄組み合わせが有効となる有効ラインＬ４が形成される。また、演出表示器Ｈ２では、第１列用上図柄表示位置Ｄ１、第２列用中図柄表示位置Ｄ５、及び第３列用下図柄表示位置Ｄ９に表示された３つの図柄の図柄組み合わせが有効とされ、これら３つの図柄表示位置Ｄ１，Ｄ５，Ｄ９によって図柄組み合わせが有効となる有効ラインＬ５が形成される。
【００２２】
有効ラインＬ１は演出表示器Ｈ２の中段において横方向へ直線的に延びるよう形成されるとともに、有効ラインＬ２は演出表示器Ｈ２の上段において横方向へ直線的に延びるよう形成され、さらに有効ラインＬ３は演出表示器Ｈ２の下段において横方向へ直線的に延びるよう形成される。また、有効ラインＬ４は演出表示器Ｈ２の右上がりの斜め方向（又は左下がりの斜め方向）へ直線的に延びるよう形成されるとともに、有効ラインＬ５は演出表示器Ｈ２の左上がりの斜め方向（又は右下がりの斜め方向）へ直線的に延びるよう形成される。この構成により、本実施形態のパチンコ遊技機１０は、５つの有効ラインＬ１〜Ｌ５を形成し得る演出表示器Ｈ２を備えた５ライン機とされている。
【００２３】
そして、本実施形態において、左列→右列→中列の順に変動を停止させて図柄を停止表示させた場合、演出表示器Ｈ２には、次のようなリーチ状態を表示することが可能である。有効ラインＬ１〜Ｌ３上には、同時にリーチ状態が表示されることなく、有効ラインＬ１、有効ラインＬ２又は有効ラインＬ３のうち何れか１本の有効ライン上に１つのリーチ状態（シングルリーチ）が表示可能とされている。また、有効ラインＬ４及び有効ラインＬ５上には、同時にリーチ状態を表示可能であって、２本の有効ラインＬ４，Ｌ５上に２つのリーチ状態（ダブルリーチ）が表示可能とされている。
【００２４】
また、演出表示器Ｈ２（画像表示部ＧＨ）の表示領域には、課題付与演出としてのミッション演出の発生時、そのミッション演出に関連する情報を表示する情報表示領域Ｚ１，Ｚ２，Ｚ３，Ｚ４が形成される。ミッション演出は、予め定めた演出を図柄変動ゲーム中に出現させることを課題（ミッション）として遊技者に付与し、その提示した演出の出現によって大当り図柄を導出する演出である。なお、本実施形態においてミッション演出の発生時に大当り抽選に当選した場合、その当選によって遊技者に付与した課題に対応する演出を出現させるよう図柄変動ゲームの演出内容を決定する。このため、遊技者の見た目上は、ミッションの達成によって大当りを得られたかのような演出表現となる。そして、情報表示領域Ｚ１〜Ｚ３は、前記ミッションを表示する領域として用いられるとともに、情報表示領域Ｚ４は、ミッション演出の継続期間（本実施形態では図柄変動ゲームの回数）を表示する領域として用いられる。
【００２５】
図１及び図２の説明に戻り、表示枠体２３の下方であって、図１及び図２において特別図柄表示器Ｈ１の左横には、機内部で記憶した特別図柄用の保留記憶数を遊技者に報知する特別図柄保留記憶表示器２４が配置されている。本実施形態のパチンコ遊技機１０は、表示枠体２３の下方に配置される始動入賞口（上始動入賞口２６と下始動入賞口２７）へ遊技球が入球した場合、その入球した遊技球の個数を記憶し、特別図柄用の保留記憶数として機内部（主制御基板３５の主制御用ＲＡＭ３５ｃ）で記憶するようになっている。特別図柄用の保留記憶数は、保留中（図柄変動ゲーム待機中）の図柄変動ゲームの回数を示している。特別図柄用の保留記憶数は、始動入賞口に遊技球が入球することで１加算され、図柄変動ゲームの開始により１減算されるようになっている。したがって、図柄変動ゲーム中に始動入賞口へ遊技球が入球すると、特別図柄用の保留記憶数は更に加算され、所定の上限数（本実施形態では４個）まで累積されるようになっている。
【００２６】
特別図柄保留記憶表示器２４は、第１保留ランプ２４ａと、第２保留ランプ２４ｂと、第３保留ランプ２４ｃと、第４保留ランプ２４ｄからなる４つの保留ランプによって構成されている。そして、特別図柄保留記憶表示器２４は、保留ランプの点灯個数により保留中の図柄変動ゲームの回数を遊技者に報知する構成となっている。例えば、第１保留ランプ２４ａのみが点灯している場合には１回の図柄変動ゲームが保留中であることを示し、第１〜第４保留ランプ２４ａ〜２４ｄの全てが点灯している場合には４回の図柄変動ゲームが保留中であることを示している。なお、特別図柄用の保留記憶数が「０（零）」の場合は、第１〜第４保留ランプ２４ａ〜２４ｄの全てが消灯している。
【００２７】
表示枠体２３の下方であって、図１及び図２において特別図柄表示器Ｈ１の右横には、発光型の普通図柄表示器Ｈ３が配置されている。本実施形態の普通図柄表示器Ｈ３は、７セグメントＬＥＤ式の表示器とされている。普通図柄表示器Ｈ３には、複数種類の図柄を変動させて行う普通図柄変動ゲームが発光表示されるようになっている。本実施形態において普通図柄表示器Ｈ３の普通図柄変動ゲームでは、１列の普通図柄を導出する。普通図柄変動ゲームは、前述した大当りか否かの大当り抽選とは別に行う当りか否か（開閉羽根２８の開動作により下始動入賞口２７を開放するか否か）の内部抽選（当り抽選）の抽選結果を表示する。本実施形態においては、当り抽選で当りを決定している場合には普通図柄変動ゲームで当り図柄として「７」の数字からなる普通図柄が表示されるとともに、当り抽選ではずれを決定している場合には普通図柄変動ゲームではずれ図柄として「−（バー）」の符号からなる普通図柄が表示される。
【００２８】
また、表示枠体２３の下方であって、図１及び図２において普通図柄表示器Ｈ３の右横には、機内部で記憶した普通図柄用の保留記憶数を遊技者に報知する普通図柄保留記憶表示器２５が配置されている。本実施形態のパチンコ遊技機１０は、表示枠体２３の左方に配置される普通図柄作動ゲート３１へ遊技球が入球した場合、その入球した遊技球の個数を記憶し、普通図柄用の保留記憶数として機内部（主制御基板３５の主制御用ＲＡＭ３５ｃ）で記憶するようになっている。普通図柄用の保留記憶数は、保留中（普通図柄変動ゲーム待機中）の普通図柄変動ゲームの回数を示している。普通図柄用の保留記憶数は、普通図柄作動ゲート３１に遊技球が入球することで１加算され、普通図柄変動ゲームの開始により１減算されるようになっている。したがって、普通図柄変動ゲーム中に普通図柄作動ゲート３１へ遊技球が入球すると、普通図柄用の保留記憶数は更に加算され、所定の上限数（本実施形態では４個）まで累積されるようになっている。
【００２９】
普通図柄保留記憶表示器２５は、第１保留ランプ２５ａと、第２保留ランプ２５ｂと、第３保留ランプ２５ｃと、第４保留ランプ２５ｄからなる４つの保留ランプによって構成されている。そして、普通図柄保留記憶表示器２５は、保留ランプの点灯個数により保留中の普通図柄変動ゲームの回数を遊技者に報知する構成となっている。例えば、第１保留ランプ２５ａのみが点灯している場合には１回の普通図柄変動ゲームが保留中であることを示し、第１〜第４保留ランプ２５ａ〜２５ｄの全てが点灯している場合には４回の普通図柄変動ゲームが保留中であることを示している。なお、普通図柄用の保留記憶数が「０（零）」の場合は、第１〜第４保留ランプ２５ａ〜２５ｄの全てが消灯している。
【００３０】
また、表示枠体２３の下方の遊技領域１３ａには、遊技球の入球口２６ａを有する上始動入賞口２６と遊技球の入球口２７ａを有する下始動入賞口２７が上下方向に並ぶように配置されている。上始動入賞口２６は、常時遊技球の入球を許容し得るように入球口２６ａを常時開放させた構成とされている。一方で、下始動入賞口２７は普通電動役物とされ、図示しないアクチュエータ（ソレノイド、モータなど）の作動により開閉動作を行う開閉羽根２８を備えており、開閉羽根２８が開動作することにより遊技球の入球を許容し得るように入球口２７ａを開放させる構成とされている。換言すれば、下始動入賞口２７は、開閉羽根２８が開動作して入球口２７ａが開放されない限り、遊技球の入球を不能とする構成とされている。
【００３１】
上始動入賞口２６と下始動入賞口２７の各奥方には、入球した遊技球を検知する始動口センサＳＥ１，ＳＥ２（図３に示す）が配設されている。上始動入賞口２６と下始動入賞口２７は、入球した遊技球を検知することにより、図柄変動ゲームの始動条件と予め定めた個数の賞球としての遊技球の払出条件を付与し得る。下始動入賞口２７は開閉羽根２８が開動作すると、入口が拡大されて遊技球が入球し易い状態とされる一方で、開閉羽根２８が閉動作すると、入口が拡大されずに遊技球が入球し難い状態とされる。
【００３２】
また、下始動入賞口２７の下方の遊技領域１３ａには、図示しないアクチュエータ（ソレノイド、モータなど）の作動により開閉動作を行う大入賞口扉２９を備えた大入賞口（特別電動役物）３０が配設されている。そして、大当り遊技が付与されると、大入賞口扉２９の開動作によって大入賞口３０が開放されて遊技球の入球が許容されるため、遊技者は、多数の賞球を獲得できるチャンスを得ることができる。本実施形態において大当り遊技は、多数の賞球を獲得できるチャンスを得られることから、遊技者に有利な状態となる。そして、この大当り遊技は、内部抽選で大当りが決定し、図柄変動ゲームにて大当り図柄（大当り表示結果）が確定停止表示されることを契機に付与される。
【００３３】
大当り遊技は、内部抽選で大当りを決定し、図柄変動ゲームで大当り図柄が確定停止表示されて該ゲームの終了後、開始される。大当り遊技が開始すると、最初に大当り遊技の開始を示すオープニング演出が行われる。オープニング演出終了後には、大入賞口扉２９の開動作により大入賞口３０が開放されるラウンド遊技が予め定めた規定ラウンド数を上限（例えば、１５回）として複数回行われる。１回のラウンド遊技は、大入賞口扉２９の開動作により大入賞口３０が開放されてから大入賞口扉２９の閉動作により大入賞口３０が閉鎖される迄であり、１回のラウンド遊技中に大入賞口３０は、規定入球個数（例えば、９球）の遊技球が入球するまでの間、又は規定時間（例えば、２５秒）が経過するまでの間、開放される。そして、大当り遊技は、規定ラウンド数のラウンド遊技の終了後に大当り遊技の終了を示すエンディング演出が行われて終了する。
【００３４】
また、表示枠体２３の左方の遊技領域１３ａには、普通図柄作動ゲート３１が配設されている。普通図柄作動ゲート３１の奥方には、該普通図柄作動ゲート３１へ入球し通過した遊技球を検知するゲートセンサＳＥ３（図３に示す）が設けられている。普通図柄作動ゲート３１は、遊技球の通過を契機に、普通図柄変動ゲームの始動条件を付与し得る。
【００３５】
また、遊技盤１３の遊技領域１３ａの最下方（大入賞口３０よりも下方）には、遊技領域１３ａに発射された後、何れの入賞口にも入球しなかった遊技球をアウト球として機外に排出するためのアウト口３２が形成されている。アウト口３２を通過した遊技球は、パチンコ遊技機１０の設置設備（遊技島）に配設されたアウト球タンク（図示しない）に排出される。
【００３６】
また、本実施形態のパチンコ遊技機１０は、確率変動（以下、「確変」と示す）機能を備えている。確変機能は、大当り遊技終了後に大当りの抽選確率（当選確率）が低確率（通常状態）である通常確率から高確率に変動する確変状態を付与する機能である。また、確変状態が付与されると、普通図柄ゲームの変動時間が短縮されるとともに、普通図柄作動ゲート３１の通過に基づく普通図柄ゲームの抽選確率（当り当選確率）が低確率である通常確率から高確率に変動する入球率向上状態が特典として付与されるようなっている。入球率向上状態において、下始動入賞口２７の開閉羽根２８は、確変状態が付与されている場合と、通常状態（入球率向上状態が付与されていない状態）が付与されている場合とでは、普通図柄ゲームにおいて当選した際、異なる動作パターンで開閉動作するようになっている。通常状態時に普通図柄ゲームに当選する場合には、開閉羽根２８が１回開放し、開放してから１００ｍｓ経過するまで開放状態を維持するようになっている。また、確変状態時に普通図柄ゲームに当選する場合には、開閉羽根２８が開放する回数が増加（例えば、３回）するとともに、１回の開放において開放してから１４００ｍｓ（通常状態に比較して長い時間）が経過するまで開放状態を維持するようになっている。すなわち、開閉羽根２８は、確変状態が付与されている場合、通常状態が付与されている状態に比較して、遊技者にとって有利に動作するように設定されている。確変状態が付与されると、大当りの抽選確率が高確率に変動して大当りが生起され易くなるため、確変状態は遊技者にとって有利であり、遊技者は確変大当りになることを期待しつつ遊技を行っている。
【００３７】
また、確変状態は、予め定めた回数（本実施形態では１００００回）の図柄変動ゲームが行われる迄の間、又は前記回数に達する前に大当りが生起される迄の間、付与される。すなわち、確変状態は、予め定めた回数に相当する図柄変動ゲームの終了時迄の間、又は前記回数に達する前に大当りが生起される図柄変動ゲームの終了時迄の間、付与される。本実施形態では、確変状態を予め定めた回数として１００００回を定めているため、実質的に次回の大当りが生起される迄の間付与されることと同等となっている。
【００３８】
また、本実施形態のパチンコ遊技機１０は、変動時間短縮（以下、「時短」と示す）機能を備えている。時短機能は、大当り遊技終了後に大当りの抽選確率（当選確率）を低確率（通常状態）として、入球率向上状態を特典として付与する機能である。また、時短状態が付与されると、大当りの抽選確率は低確率であるが、入球率向上状態が特典として付与されるようになっている。すなわち、開閉羽根２８は、時短状態が付与されている場合、通常状態が付与されている状態に比較して、遊技者にとって有利に動作するように設定されている。そして、時短状態は、予め定めた回数（本実施形態では１００回）の図柄変動ゲームが行われる迄の間、又は前記回数に達する前に大当りが生起される迄の間、付与される。すなわち、時短状態は、予め定めた回数に相当する図柄変動ゲームの終了時迄の間、又は前記回数に達する前に大当りが生起される図柄変動ゲームの終了時迄の間、付与される。
【００３９】
本実施形態では、大当り遊技終了後に確変状態を付与する（抽選確率が高確率である状態が付与される）大当りが確変大当りとなり、大当り遊技終了後に確変状態が付与されない（抽選確率が低確率である非確変状態が付与される）大当りが非確変大当りとなる。そして、本実施形態のパチンコ遊技機１０では、飾り図柄による大当り図柄の種類から、確変大当り又は非確変大当りの何れの大当りであるかを認識し得るように構成されている。具体的に言えば、「１」〜「８」の数字からなる図柄のうち、奇数図柄で構成される大当り図柄（［１１１］［３３３］［５５５］［７７７］の組み合わせ）から確変大当りを認識し得る。その一方で、偶数図柄で構成される大当り図柄（［２２２］［４４４］［６６６］［８８８］）から非確変大当りを認識し得るように構成されている。また、特別図柄は、確変大当りの特別図柄と非確変大当りの特別図柄とに分類されている。
【００４０】
次に、パチンコ遊技機１０の電気的構成について図３にしたがって説明する。
パチンコ遊技機１０の機裏側には、パチンコ遊技機１０全体を制御する主制御手段としての主制御基板３５が装着されている。主制御基板３５は、パチンコ遊技機１０全体を制御するための各種処理を実行し、該処理結果に応じて遊技を制御するための各種の制御指令としての制御信号（制御コマンド）を演算処理し、該制御信号（制御コマンド）を出力する。また、機裏側には、演出制御手段としてのサブ統括制御基板３６と、演出制御手段としての表示制御基板３７と、ランプ制御基板３８と、音声制御基板３９が装着されている。本実施形態では、これらの各制御基板３６〜３９によって主制御基板３５が出力した制御信号に基づき遊技演出に係る各種制御を専門的に制御する副制御手段が構成されている。
【００４１】
サブ統括制御基板３６は、主制御基板３５が出力した制御信号（制御コマンド）に基づき、表示制御基板３７、ランプ制御基板３８及び音声制御基板３９を統括的に制御する。表示制御基板３７は、主制御基板３５とサブ統括制御基板３６が出力した制御信号（制御コマンド）に基づき、演出表示器Ｈ２の表示態様（図柄、背景、文字などの表示画像など）を制御する。また、ランプ制御基板３８は主制御基板３５とサブ統括制御基板３６が出力した制御信号（制御コマンド）に基づき、各種ランプの発光態様（点灯（点滅）／消灯のタイミングなど）を制御する。また、音声制御基板３９は、主制御基板３５とサブ統括制御基板３６が出力した制御信号（制御コマンド）に基づき、スピーカ１７の音声出力態様（音声出力のタイミングなど）を制御する。
【００４２】
以下、主制御基板３５、サブ統括制御基板３６及び表示制御基板３７について、その具体的な構成を説明する。
主制御基板３５には、制御動作を所定の手順で実行することができる主制御用ＣＰＵ３５ａと、主制御用ＣＰＵ３５ａの制御プログラムを格納する主制御用ＲＯＭ３５ｂと、必要なデータの書き込み及び読み出しができる主制御用ＲＡＭ３５ｃが設けられている。主制御用ＣＰＵ３５ａには、主制御用ＲＯＭ３５ｂと主制御用ＲＡＭ３５ｃが接続されているとともに、上始動入賞口２６に入球した遊技球を検知する始動口センサＳＥ１と、下始動入賞口２７に入球した遊技球を検知する始動口センサＳＥ２と、普通図柄作動ゲート３１を通過した遊技球を検知するゲートセンサＳＥ３が接続されている。また、主制御用ＣＰＵ３５ａには、特別図柄表示器Ｈ１と、普通図柄表示器Ｈ３と、特別図柄保留記憶表示器２４と、普通図柄保留記憶表示器２５が接続されている。そして、主制御用ＣＰＵ３５ａは、大当り判定用乱数や変動パターン振分用乱数などの各種乱数の値を所定の周期毎に更新し、更新後の値を主制御用ＲＡＭ３５ｃの設定領域に記憶（設定）することで更新前の値を書き換えており、乱数更新処理（乱数生成処理）を実行する。大当り判定用乱数は、大当りを付与するか否かの大当り判定（大当り抽選）で用いる乱数である。変動パターン振分乱数は、図柄変動ゲームの変動時間と演出内容（大当り演出、はずれリーチ演出、はずれ演出など）を決定する際に用いる乱数である。また、本実施形態の主制御用ＣＰＵ３５ａはタイマ機能を搭載しており、所定のタイミング（例えば、図柄変動ゲームを開始するタイミング）で時間を計測する。
【００４３】
主制御用ＲＯＭ３５ｂには、前記制御プログラムに加え、複数種類の変動パターンと各種判定値（大当り判定値など）が記憶されている。変動パターンは、図柄（特別図柄及び飾り図柄）が変動を開始（図柄変動ゲームが開始）してから図柄が確定停止表示（図柄変動ゲームが終了）される迄の間の遊技演出（表示演出、発光演出、音声演出）のベースとなるパターンを示すものである。変動パターンには、該変動パターン毎に、図柄変動ゲームの開始から終了までの変動時間が定められている。また、変動パターンは、大当り演出、はずれリーチ演出及びはずれ演出からなる演出内容毎に分類されている。大当り演出は、図柄変動ゲームが、リーチ演出を経て最終的に大当り図柄を停止表示させるように展開される演出である。はずれリーチ演出は、図柄変動ゲームが、リーチ演出を経て最終的にはずれ図柄を確定停止表示させるように展開される演出である。はずれ演出は、図柄変動ゲームが、リーチ演出を経ることなく最終的にはずれ図柄を確定停止表示させるように展開される演出である。
【００４４】
大当り判定値は、大当り判定で用いる判定値であり、大当り判定用乱数の取り得る数値の中から定められている。例えば、大当り判定用乱数の取り得る数値を「０（零）」〜「５９９」までの全６００通りの整数に設定し、その値の中から大当り判定値として２つの値を設定した場合、大当り判定が肯定判定される割合、すなわち大当りの当選確率は６００分の２（３００分の１）となる。
【００４５】
図４は、主制御用ＲＯＭ３５ｂに記憶される変動パターン振分けテーブルを模式的に示した図である。なお、図４には、大当り演出用の変動パターンＰ１，Ｐ２と、はずれリーチ演出用の変動パターンＰ３と、はずれ演出用の変動パターンＰ４の４種類を示しているが、変動パターン振分けテーブルには変動パターンＰ１〜Ｐ４以外にも数十種類（例えば、４０種類や５０種類）の変動パターンが振分けられている。図４の変動パターン振分けテーブルには、説明を簡略化するために、４種類の変動パターンＰ１〜Ｐ４のみを示している。
【００４６】
これらの変動パターンＰ１〜Ｐ４には、それぞれに複数種類（本実施形態では２種類）の図柄変動ゲームの演出内容が対応付けられている。具体的には、大当り演出用の変動パターンＰ１には、演出内容Ｐ１ａ（スーパーリーチ）と演出内容Ｐ１ｂ（ミッション演出）の２種類が振分けられているとともに、大当り演出用の変動パターンＰ２には、演出内容Ｐ２ａ（ノーマルリーチ）と演出内容Ｐ２ｂ（ミッション演出）の２種類が振分けられている。また、はずれリーチ演出用の変動パターンＰ３には、演出内容Ｐ３ａ（スーパーリーチ）と演出内容Ｐ３ｂ（ミッション演出）の２種類が振分けられているとともに、はずれ演出用の変動パターンＰ４には、演出内容Ｐ４ａ（通常変動）と演出内容Ｐ４ｂ（ミッション演出）の２種類が振分けられている。
【００４７】
ノーマルリーチとスーパーリーチはリーチ演出の種類を示し、スーパーリーチはノーマルリーチを経由して行われるリーチ演出であって、リーチ演出が発展する演出内容となっている。一般的には、ノーマルリーチからスーパーリーチへリーチ演出が発展した場合の方が、大当りの期待度が高くなるように設定されている。また、通常変動は、リーチの形成によるリーチ演出を実行させることなく（すなわち、リーチ図柄が表示されない）、３列を予め定めた変動停止順序（本実施形態では左列→右列→中列）にしたがって図柄を停止表示させる演出内容となっている。これらのノーマルリーチ、スーパーリーチ、及び通常変動は、本実施形態において図柄変動ゲーム中に実行される演出パターンとなり、これらの演出パターンに基づき、演出としてのリーチ演出（ノーマルリーチ演出、スーパーリーチ演出）や通常変動演出が実行される。
【００４８】
各変動パターンＰ１〜Ｐ４に振分けられた演出内容は、主制御基板３５（主制御用ＣＰＵ３５ａ）が図柄変動ゲームの開始時に選択した変動パターンの種類に応じて、サブ統括制御基板３６（統括制御用ＣＰＵ３６ａ）が乱数抽選によって決定する。そして、統括制御用ＣＰＵ３６ａが、これらの変動パターンＰ１〜Ｐ４の演出内容としてミッション演出に対応する演出内容Ｐ１ｂ，Ｐ２ｂ，Ｐ３ｂ，Ｐ４ｂを決定した場合には、図柄変動ゲームにおいてミッション演出を発生させるように制御される。ミッション演出が発生した場合には、その発生時に遊技者に対して複数種類のミッションが付与される。
【００４９】
次に、サブ統括制御基板３６について説明する。
サブ統括制御基板３６には、制御動作を所定の手順で実行することができる統括制御用ＣＰＵ３６ａと、統括制御用ＣＰＵ３６ａの制御プログラムを格納する統括制御用ＲＯＭ３６ｂと、必要なデータの書き込み及び読み出しができる統括制御用ＲＡＭ３６ｃが設けられている。統括制御用ＣＰＵ３６ａには、統括制御用ＲＯＭ３６ｂと統括制御用ＲＡＭ３６ｃが接続されている。そして、統括制御用ＣＰＵ３６ａは、予告抽選用乱数やミッション抽選用乱数などの各種乱数の値を所定の周期毎に更新し、更新後の値を統括制御用ＲＡＭ３６ｃの設定領域に記憶（設定）することで更新前の値を書き換えており、乱数更新処理（乱数生成処理）を実行する。また、本実施形態の統括制御用ＣＰＵ３６ａはタイマ機能を搭載しており、所定のタイミング（例えば、図柄変動ゲームを開始するタイミング）で時間を計測する。
【００５０】
予告抽選用乱数は、図柄変動ゲームで実行させる予告演出の演出内容を決定する際に用いる乱数である。本実施形態のパチンコ遊技機１０は、予告演出としてリーチ形成前に実行させるリーチ前予告演出としてのリーチ前予告とリーチ形成後に実行させるリーチ後予告演出としてのリーチ後予告の２種類を実行可能に構成されている。このため、統括制御用ＣＰＵ３６ａは、予告抽選用乱数として、リーチ前予告を決定するための第１予告抽選用乱数とリーチ後予告を決定するための第２予告抽選用乱数の２種類を生成するようになっている。
【００５１】
また、ミッション抽選用乱数は、ミッション演出の発生に伴って遊技者に付与するミッション（ミッション演出中に出現させるべき演出）を決定する際に用いる乱数である。本実施形態のパチンコ遊技機１０は、ミッション演出の発生時に、図柄変動ゲーム中に出現するタイミングが異なる３つの演出を３つのミッションとして遊技者に提示するように構成されている。このため、統括制御用ＣＰＵ３６ａは、ミッション抽選用乱数として、第１のミッション（第１の課題）ＭＡを決定するための第１ミッション抽選用乱数と、第２のミッション（第２の課題）ＭＢを決定するための第２ミッション抽選用乱数と、第３のミッション（第３の課題）ＭＣを決定するための第３ミッション抽選用乱数を生成する。
【００５２】
そして、統括制御用ＲＯＭ３６ｂには、前記制御プログラムに加え、各種判定値（予告判定値とミッション判定値）と、予告演出の演出内容を振分けた予告振分けテーブルと、ミッション演出のミッションを振分けたミッション振分けテーブルが記憶されている。
【００５３】
予告判定値としての第１予告判定値は、リーチ前予告を決定する際に用いる判定値であり、第１予告抽選用乱数の取り得る数値の中から定められている。また、予告判定値としての第２予告判定値は、リーチ後予告を決定する際に用いる判定値であり、第２予告抽選用乱数の取り得る数値の中から定められている。ミッション判定値としての第１ミッション判定値は、第１のミッションＭＡを決定する際に用いる判定値であり、第１ミッション抽選用乱数の取り得る数値の中から定められている。ミッション判定値としての第２ミッション判定値は、第２のミッションＭＢを決定する際に用いる判定値であり、第２ミッション抽選用乱数の取り得る数値の中から定められている。ミッション判定値としての第３ミッション判定値は、第３のミッションＭＣを決定する際に用いる判定値であり、第３ミッション抽選用乱数の取り得る数値の中から定められている。
【００５４】
予告振分けテーブルとしてのリーチ前予告振分けテーブルには、リーチ前予告の演出内容が振分けられている。本実施形態のパチンコ遊技機１０では、リーチ前予告として、演出表示器Ｈ２に予め定めた画像（キャラクタ画像や背景画像など）を、予め定めた規則（表示順序など）に従い、時間の経過に伴って段階的に表示させて内容を変化させる段階予告（「ステップアップ予告」とも言われる）を実行させるようになっている。
【００５５】
そして、リーチ前予告振分けテーブルには、演出内容として段階予告の段階数（ステップ数）が振分けられている。本実施形態の段階予告は、最大段階数を５段階としている。このため、リーチ前予告振分けテーブルには、演出内容として、ステップ１まで段階が進む演出内容と、ステップ２まで段階が進む演出内容と、ステップ３まで段階が進む演出内容と、ステップ４まで段階が進む演出内容と、ステップ５まで段階が進む演出内容が振分けられている。また、リーチ前予告振分けテーブルには、段階予告を実行させない演出内容も振分けられている。
【００５６】
予告振分けテーブルとしてのリーチ後予告振分けテーブルには、リーチ後予告の演出内容が振分けられている。本実施形態のパチンコ遊技機１０では、リーチ後予告として、キャラクタ群の画像を表示させるキャラ群予告を実行させるようになっている。このキャラ群予告は、図柄変動ゲームでリーチが形成された直後に開始される。また、本実施形態では、キャラ群予告において画像表示されるキャラクの種類を、キャラクタＡ（「キャラＡ」）と、キャラクタＢ（「キャラＢ」）と、キャラクタＣ（「キャラＣ」）の３種類に設定している。
【００５７】
そして、リーチ後予告振分けテーブルには、演出内容としてキャラ群予告のキャラクタの種類が振分けられている。本実施形態のキャラ群予告は、３種類のキャラクタＡ，Ｂ，Ｃの何れか１つを表示させるようになっている。このため、リーチ後予告振分けテーブルには、演出内容として、キャラクタＡを表示させる演出内容と、キャラクタＢを表示させる演出内容と、キャラクタＣを表示させる演出内容が振分けられている。また、リーチ後予告振分けテーブルには、キャラ群予告を実行させない演出内容も振分けられている。
【００５８】
これらのリーチ前予告（段階予告）及びリーチ後予告（キャラ群予告）は、本実施形態において図柄変動ゲーム中に実行される演出パターンとなり、これらの演出パターンに基づき、演出としての予告演出が実行される。
【００５９】
ミッション振分けテーブルとしての第１ミッション振分けテーブルには、リーチ前予告である段階予告の各演出内容（ステップ１〜５）を特定するための情報が振分けられている。ミッション振分けテーブルとしての第２ミッション振分けテーブルには、リーチ図柄となり得る図柄の種類（「１」〜「８」）を特定するための情報が振分けられている。リーチ図柄は図柄変動ゲームの開始時に決定されることから、本実施形態において図柄変動ゲーム中に実行される演出パターンとなり、この演出パターンに基づき、演出としてのリーチ図柄の表示によるリーチ形成が実行される。ミッション振分けテーブルとしての第３ミッション振分けテーブルには、リーチ後予告であるキャラ群予告の各演出内容（キャラＡ群、キャラＢ群、キャラＣ群）を特定するための情報が振分けられている。
【００６０】
そして、各ミッション振分けテーブルに振分けられた各情報には、それぞれに対応するミッション抽選用乱数の値が所定個数ずつ振分けられている。したがって、第１のミッションＭＡの決定時には乱数抽選により取得した第１ミッション抽選用乱数の値が振分けられた段階予告の演出内容を特定する情報が選択される。また、第２のミッションＭＢの決定時には乱数抽選により取得した第２ミッション抽選用乱数の値が振分けられた図柄を特定する情報が選択される。また、第３のミッションＭＣの決定時には乱数抽選により取得した第３ミッション抽選用乱数の値が振分けられたキャラ群予告の演出内容を特定する情報が選択される。
【００６１】
本実施形態において、ミッション演出のミッションを決定する際の対象となるリーチ前予告、リーチ図柄及びリーチ後予告は、図柄変動ゲーム中において図５に示すタイミングで出現し、これらの出現タイミングは相違している。すなわち、リーチ前予告である段階予告は、図柄変動ゲームの開始直後に開始され、最初の図柄列の変動が停止する前に終了するようになっている。このため、遊技者は、リーチ前予告により、大当りの前提となるリーチが形成されるか否かという点に注目することになる。また、遊技者は、リーチ形成時において、リーチの形成による大当りへの期待感を抱きつつ、リーチ図柄が如何なる種類の図柄であるか、すなわち確変大当りとなり得る図柄であるか又は非確変大当りとなり得る図柄であるかという点に注目することになる。そして、遊技者は、リーチ形成後のリーチ後予告により、大当りとなり得るか否かという点に注目することになる。このように本実施形態のミッション演出では、遊技者が期待する内容が異なる３種類の演出（リーチ前予告、リーチ図柄、リーチ後予告）を選択することで、これらの演出の出現タイミングで遊技者が抱く演出自体への期待に加え、課題達成への期待感も抱くことが可能となる。
【００６２】
次に、表示制御基板３７について説明する。
表示制御基板３７には、制御動作を所定の手順で実行することができる表示制御用ＣＰＵ３７ａと、表示制御用ＣＰＵ３７ａの制御プログラムを格納する表示制御用ＲＯＭ３７ｂと、必要なデータの書き込み及び読み出しができる表示制御用ＲＡＭ３７ｃが設けられている。表示制御用ＣＰＵ３７ａには、演出表示器Ｈ２（画像表示部ＧＨ）が接続されている。また、本実施形態の表示制御用ＣＰＵ３７ａはタイマ機能を搭載しており、所定のタイミング（例えば、図柄変動ゲームを開始するタイミング）で時間を計測する。表示制御用ＲＯＭ３７ｂには、各種の画像データ（図柄、背景、文字、キャラクタなどの画像データ）が記憶されている。
【００６３】
以下、主制御基板３５、サブ統括制御基板３６及び表示制御基板３７が実行する制御内容を説明する。
最初に、主制御基板３５について説明する。
【００６４】
主制御基板３５の主制御用ＣＰＵ３５ａは、上始動入賞口２６又は下始動入賞口２７へ遊技球が入球し、該遊技球を検知した始動口センサＳＥ１，ＳＥ２が出力する検知信号を入力すると、主制御用ＲＡＭ３５ｃに記憶されている特別図柄用の保留記憶数が上限数（本実施形態では４）未満であるか否かの保留判定を行う。保留判定の判定結果が肯定（特別図柄用の保留記憶数＜４）の場合、主制御用ＣＰＵ３５ａは、特別図柄用の保留記憶数を１加算（＋１）し、特別図柄用の保留記憶数を書き換える。また、主制御用ＣＰＵ３５ａは、特別図柄用の保留記憶数の書き換えに伴って該書き換え後の前記保留記憶数に対応する数の保留ランプを点灯させる。例えば、主制御用ＣＰＵ３５ａは、書き換え後の特別図柄用の保留記憶数が「３」の場合、３つの保留ランプを点灯させる。また、主制御用ＣＰＵ３５ａは、保留判定を肯定判定している場合、大当り判定用乱数の値を主制御用ＲＡＭ３５ｃから取得し、その値を特別図柄用の保留記憶数に対応付けて主制御用ＲＡＭ３５ｃの所定の記憶領域に格納する。なお、主制御用ＣＰＵ３５ａは、保留判定の判定結果が否定（保留記憶数＝４）の場合、上限数を超える特別図柄用の保留記憶数の書き換えを行わないとともに、大当り判定用乱数の値も取得しない。
【００６５】
そして、主制御用ＣＰＵ３５ａは、図柄変動ゲームの開始直前に、主制御用ＲＡＭ３５ｃの所定の記憶領域に格納した大当り判定用乱数の値を読み出し、該値と主制御用ＲＯＭ３５ｂに記憶されている大当り判定値とを比較し、大当りか否かの大当り判定を行う。大当り判定の判定結果が肯定（大当り判定用乱数の値と大当り判定値とが一致）の場合、主制御用ＣＰＵ３５ａは、大当りを決定する。大当りを決定した主制御用ＣＰＵ３５ａは、特別図柄表示器Ｈ１で行われる図柄変動ゲームで確定停止表示させる特別図柄として大当り図柄を決定する。また、大当りを決定した主制御用ＣＰＵ３５ａは、変動パターン振分用乱数の値を主制御用ＲＡＭ３５ｃから取得し、該値に対応する変動パターンを大当り演出用の変動パターンの中から選択して決定する。
【００６６】
一方、主制御用ＣＰＵ３５ａは、大当り判定の判定結果が否定（大当り判定用乱数の値と大当り判定値とが不一致）の場合、はずれを決定する。そして、はずれを決定した主制御用ＣＰＵ３５ａは、はずれリーチ演出を実行するか否かを乱数抽選で決定する。はずれリーチ演出の実行を決定した場合、主制御用ＣＰＵ３５ａは、特別図柄表示器Ｈ１に確定停止表示させる特別図柄としてはずれ図柄を決定するとともに、変動パターン振分用乱数の値を主制御用ＲＡＭ３５ｃから取得し、該値に対応する変動パターンをはずれリーチ演出用の変動パターンの中から選択して決定する。一方、はずれリーチ演出の非実行を決定した場合、主制御用ＣＰＵ３５ａは、前述同様にはずれ図柄を決定するとともに、変動パターン振分用乱数の値を主制御用ＲＡＭ３５ｃから取得し、該値に対応する変動パターンをはずれ演出用の変動パターンの中から選択して決定する。
【００６７】
特別図柄及び変動パターンを決定した主制御用ＣＰＵ３５ａは、所定の制御コマンドを所定のタイミングでサブ統括制御基板３６（統括制御用ＣＰＵ３６ａ）に出力する。具体的に言えば、主制御用ＣＰＵ３５ａは、最初に変動パターンを指示するとともに図柄変動ゲームの開始を指示する変動パターン指定コマンドを出力する。次に、主制御用ＣＰＵ３５ａは、特別図柄を指示する特別図柄用の停止図柄指定コマンドを出力する。そして、主制御用ＣＰＵ３５ａは、指示した変動パターンに定められている変動時間の経過時に、図柄変動ゲームの終了（図柄の確定停止）を指示する図柄停止コマンドを出力する。
【００６８】
また、主制御用ＣＰＵ３５ａは、図柄変動ゲームの開始時に特別図柄用の保留記憶数を１減算（−１）し、特別図柄用の保留記憶数を書き換える。そして、主制御用ＣＰＵ３５ａは、特別図柄用の保留記憶数の書き換えに伴って該書き換え後の前記保留記憶数に対応する数の保留ランプを点灯させる。また、主制御用ＣＰＵ３５ａは、図柄変動ゲームの開始に伴って特別図柄表示器Ｈ１の表示内容を制御する。すなわち、主制御用ＣＰＵ３５ａは、図柄変動ゲームの開始により特別図柄の変動を開始させ、決定した変動パターンに定められている変動時間の経過時に決定した特別図柄（大当り図柄又ははずれ図柄）を確定停止表示させる。本実施形態では、制御プログラムにしたがって大当り判定を実行する主制御用ＣＰＵ３５ａが、遊技者に有利となる大当りを付与するか否かを判定する大当り判定手段として機能する。
【００６９】
次に、サブ統括制御基板３６について説明する。
サブ統括制御基板３６の統括制御用ＣＰＵ３６ａは、変動パターン指定コマンドを入力すると、該コマンドを表示制御基板３７、ランプ制御基板３８及び音声制御基板３９に出力する。また、統括制御用ＣＰＵ３６ａは、特別図柄用の停止図柄指定コマンドを入力すると、該コマンドに対応する特別図柄の停止図柄指定に応じて演出表示器Ｈ２に停止表示させる図柄組み合わせを構成する飾り図柄を決定する。また、統括制御用ＣＰＵ３６ａは、図柄停止コマンドを入力すると、該コマンドを表示制御基板３７、ランプ制御基板３８及び音声制御基板３９に出力する。
【００７０】
以下、サブ統括制御基板３６の実行する処理内容を説明する。
本実施形態では、以下に説明する処理を制御プログラムにしたがって実行する統括制御用ＣＰＵ３６ａが、課題付与演出制御手段として機能する。
【００７１】
統括制御用ＣＰＵ３６ａは、ミッション演出の非実行中であるか、ミッション演出の発生時であるか、ミッション演出中であるか、ミッション演出の終了時であるかを示す演出モードフラグを統括制御用ＲＡＭ３６ｃに設定する。統括制御用ＣＰＵ３６ａは、変動パターン指定コマンドを入力すると、該変動パターンに対応する演出内容の中から１つの演出内容を決定する（図４参照）。このとき、統括制御用ＣＰＵ３６ａは、ミッション演出の非実行中において決定した演出内容が「ミッション演出」である場合、今回の図柄変動ゲームでミッション演出を開始（発生）させることから、演出モードフラグに「ミッション演出の発生時」である旨を示すフラグを設定する。そして、統括制御用ＣＰＵ３６ａは、前記フラグを設定すると、ミッション演出において遊技者に提示するミッションを選択する。すなわち、統括制御用ＣＰＵ３６ａは、第１〜第３ミッション抽選用乱数の値を統括制御用ＲＡＭ３６ｃから取得し、その値に対応するミッションを各ミッション振分けテーブルから選択し、選択結果を統括制御用ＲＡＭ３６ｃに設定する。この制御により、図柄変動ゲームの開始直前に、ミッション演出の発生に伴って遊技者に付与するミッションを決定する。この決定したミッションは、ミッション指定コマンドにより、表示制御基板３７に出力される。
【００７２】
そして、統括制御用ＣＰＵ３６ａは、ミッション演出を発生させる図柄変動ゲームの開始とともに、演出モードフラグの設定値を、「ミッション演出の発生時」を示す値から「ミッション演出中」である旨を示す値に設定する。また、統括制御用ＣＰＵ３６ａは、ミッション演出の開始に伴って、ミッション演出の付与期間（継続期間）の計測を開始する。本実施形態では、ミッション演出を付与する期間を図柄変動ゲームの回数で管理するようになっている。本実施形態では、最大付与期間を図柄変動ゲームが「３０回」行われるまでとしている。このため、統括制御用ＣＰＵ３６ａは、ミッション演出の開始時に前記回数（３０（回））を統括制御用ＲＡＭ３６ｃのゲーム数カウンタに設定し、ミッション演出の開始後、変動パターン指定コマンドを入力する毎にゲーム数カウンタの値を１減算する。また、ミッション演出中、統括制御用ＣＰＵ３６ａは、変動パターン指定コマンドの入力により決定する演出内容としてミッション演出を含まない演出内容を決定する。
【００７３】
そして、ミッション演出を開始させた統括制御用ＣＰＵ３６ａは、変動パターン指定コマンドを入力する毎に、ゲーム数カウンタの減算とともに減算後のカウンタ値が前記ミッション演出の最大付与期間に相当する数に達したか否かを判定する。この判定結果が肯定の場合、統括制御用ＣＰＵ３６ａは、今回の図柄変動ゲームの終了とともにミッション演出も終了させることから、演出モードフラグの設定値を、「ミッション演出中」を示す値から「ミッション演出の終了時」を示す値に設定する。また、統括制御用ＣＰＵ３６ａは、ミッション演出中に大当り演出用の変動パターンを指定する変動パターン指定コマンドを入力した場合、前記カウンタ値に拘らず、演出モードフラグの設定値を、「ミッション演出中」を示す値から「ミッション演出の終了時」を示す値に設定する。その後、統括制御用ＣＰＵ３６ａは、ミッション演出の終了となる図柄変動ゲームの終了、すなわち図柄停止コマンドの入力により、演出モードフラグの設定値を、「ミッション演出の終了時」を示す値から「ミッション演出の非実行中」を示す値に設定する。
【００７４】
図７は、前述した演出モードフラグの設定処理とともに、図柄変動ゲームの開始時に統括制御用ＣＰＵ３６ａが実行する変動開始時処理を示す。
変動開始時処理にて統括制御用ＣＰＵ３６ａは、演出用図柄作成処理を実行する（ステップＳ１）。ステップＳ１の演出用図柄作成処理にて統括制御用ＣＰＵ３６ａは、特別図柄の停止図柄指定の指定内容と統括制御用ＲＡＭ３６ｃに設定されている演出表示モードフラグの設定内容を確認し、飾り図柄を生成する。すなわち、統括制御用ＣＰＵ３６ａは、特別図柄の停止図柄指定が大当り図柄の場合には前記図柄組み合わせを構成する飾り図柄として大当り図柄を作成する。一方、統括制御用ＣＰＵ３６ａは、特別図柄の停止図柄指定がはずれ図柄の場合には前記図柄組み合わせを構成する飾り図柄としてはずれ図柄を作成する。このとき、統括制御用ＣＰＵ３６ａは、変動パターン指定コマンドではずれリーチ演出用の変動パターンが指示されている場合、飾り図柄のはずれ図柄として左右列の図柄が同一種類となるリーチ図柄を含めて作成する。また、統括制御用ＣＰＵ３６ａは、変動パターン指定コマンドではずれ演出用の変動パターンが指示されている場合、飾り図柄のはずれ図柄として前記リーチ図柄を含めずに作成する。
【００７５】
そして、本実施形態のパチンコ遊技機１０のように５ライン機の場合、統括制御用ＣＰＵ３６ａは、有効ラインＬ１（第１列用中図柄表示位置Ｄ２、第２列用中図柄表示位置Ｄ５、第３列用中図柄表示位置Ｄ８）上に表示させる飾り図柄を作成する。このように有効ラインＬ１上に表示させる図柄を作成すれば、その他の図柄表示位置に表示される図柄の種類は、各図柄列の図柄の表示順序にしたがって必然的に決定されることになる。そして、飾り図柄を作成した統括制御用ＣＰＵ３６ａは、有効ラインＬ１を図柄決定用の基準ラインとした場合、有効ラインＬ１（第１列用中図柄表示位置Ｄ２、第２列用中図柄表示位置Ｄ５、第３列用中図柄表示位置Ｄ８）上に表示させる飾り図柄を指定する内容の飾図指定コマンドを統括制御用ＲＡＭ３６ｃに設定する。この飾図指定コマンドは、次周期以降の制御で実行する出力処理にて表示制御基板３７に出力される。なお、本実施形態では、有効ラインＬ１を図柄決定用の基準ラインとして図柄を決定しているが、前記基準ラインを他の有効ラインに変更しても良い。  
【００７６】
次に、演出用図柄作成処理で飾り図柄を作成した統括制御用ＣＰＵ３６ａは、予告抽選を行う（ステップＳ２）。ステップＳ２の予告抽選にて統括制御用ＣＰＵ３６ａは、予告抽選用乱数の値を統括制御用ＲＡＭ３６ｃから取得する。ステップＳ２で取得される予告抽選用乱数の値は、乱数更新処理において統括制御用ＲＡＭ３６ｃに設定されたカウント値である。そして、ステップＳ２にて統括制御用ＣＰＵ３６ａは、リーチ前予告の実行可否及び実行する場合には予告内容（ステップアップ予告のステップ数）を決定する。また、ステップＳ２にて統括制御用ＣＰＵ３６ａは、リーチ演出を伴う変動パターン（大当り演出用、はずれリーチ演出用）を入力している場合にはリーチ後予告の実行可否及び実行する場合には予告内容（キャラ群予告の種類）を決定する。そして、統括制御用ＣＰＵ３６ａは、リーチ前予告を指示するリーチ前予告指定コマンドとリーチ後予告を指示するリーチ後予告指定コマンドを統括制御用ＲＡＭ３６ｃに設定する。これらの予告指定コマンドは、次周期以降の制御で実行する出力処理にて表示制御基板３７に出力される。
【００７７】
次に、予告抽選を行った統括制御用ＣＰＵ３６ａは、演出表示モードフラグの設定内容を確認し、ミッション演出中であるか否かを判定する（ステップＳ３）。この判定結果が否定の場合、統括制御用ＣＰＵ３６ａは、ステップＳ１８に移行する。一方、ステップＳ３の判定結果が肯定の場合、統括制御用ＣＰＵ３６ａは、今回の図柄変動ゲームが大当りとなるか否かを判定する（ステップＳ４）。ステップＳ４にて統括制御用ＣＰＵ３６ａは、特別図柄の停止図柄指定の指定内容を確認し、その指定された図柄が大当り図柄及びはずれ図柄の何れの図柄であるかにより、大当りとなるか又ははずれとなるかを判定する。そして、ステップＳ４の判定結果が否定の場合、統括制御用ＣＰＵ３６ａは、ステップＳ１２（図８）以降の処理を実行する。
【００７８】
ステップＳ４の判定結果が肯定の場合、統括制御用ＣＰＵ３６ａは、ステップＳ２で決定したリーチ前予告が、第１のミッションＭＡとして提示したリーチ前予告と一致するか否かを判定する（ステップＳ５）。この判定結果が肯定の場合、統括制御用ＣＰＵ３６ａは、今回の図柄変動ゲームにおいて第１のミッションＭＡが達成されることになるので、リーチ前予告後に表示するミッション達成演出を指定する達成演出指定コマンドを統括制御用ＲＡＭ３６ｃに設定し（ステップＳ６）、ステップＳ１８に移行する。達成演出指定コマンドは、次周期以降の制御で実行する出力処理にて表示制御基板３７に出力される。
【００７９】
ステップＳ５の判定結果が否定の場合、統括制御用ＣＰＵ３６ａは、リーチ図柄が、第２のミッションＭＢとして提示したリーチ図柄と一致するか否かを判定する（ステップＳ７）。ステップＳ７の判定結果が肯定の場合、統括制御用ＣＰＵ３６ａは、今回の図柄変動ゲームにおいて第２のミッションＭＢが達成されることになるので、リーチ成立後に表示するミッション達成演出を指定する達成演出指定コマンドを統括制御用ＲＡＭ３６ｃに設定し（ステップＳ８）、ステップＳ１８に移行する。達成演出指定コマンドは、次周期以降の制御で実行する出力処理にて表示制御基板３７に出力される。
【００８０】
ステップＳ７の判定結果が否定の場合、統括制御用ＣＰＵ３６ａは、ステップＳ２で決定したリーチ後予告が、第３のミッションＭＣとして提示したリーチ後予告と一致するか否かを判定する（ステップＳ９）。この判定結果が肯定の場合、統括制御用ＣＰＵ３６ａは、今回の図柄変動ゲームにおいて第３のミッションＭＣが達成されることになるので、リーチ後予告後に表示するミッション達成演出を指定する達成演出指定コマンドを統括制御用ＲＡＭ３６ｃに設定し（ステップＳ１０）、ステップＳ１８に移行する。達成演出指定コマンドは、次周期以降の制御で実行する出力処理にて表示制御基板３７に出力される。
【００８１】
ステップＳ９の判定結果が否定の場合、統括制御用ＣＰＵ３６ａは、ステップＳ２で決定したリーチ後予告を、第３のミッションＭＣとして提示したリーチ後予告に書き換え（ステップＳ１１）、その後にステップＳ１０へ移行する。すなわち、ステップＳ９の判定結果が否定の場合は、ミッション演出中に行われる今回の図柄変動ゲームは大当りとなるが、ミッション演出の開始時に遊技者に提示した演出（課題）に対応する演出パターン（リーチ前予告、リーチ図柄、リーチ後予告）が何れも選択されていない状態である。このため、統括制御用ＣＰＵ３６ａは、ミッション演出の達成によって恰も大当りが生起されたかのような遊技を実現するために、ステップＳ１１でリーチ後予告を第３のミッションＭＣとして提示したリーチ後予告と一致させるように強制的に書き換える。
【００８２】
ステップＳ１８に移行した統括制御用ＣＰＵ３６ａは、演出表示モードフラグに対応したモードを指定するモード演出コマンドを統括制御用ＲＡＭ３６ｃに設定する。モード演出コマンドは、次周期以降の制御で実行する出力処理にて表示制御基板３７に出力される。
【００８３】
一方、ステップＳ４を否定判定し、ステップＳ１２（図８）に移行した統括制御用ＣＰＵ３６ａは、ミッション演出中に行われるはずれとなる図柄変動ゲームで遊技者に提示した演出が出現しないように演出の出現を規制する処理を行う。すなわち、統括制御用ＣＰＵ３６ａは、ステップＳ１２にてステップＳ２で決定したリーチ前予告が、第１のミッションＭＡとして提示したリーチ前予告と一致するか否かを判定する。この判定結果が肯定の場合、統括制御用ＣＰＵ３６ａは、ステップＳ２で決定したリーチ前予告を、第１のミッションＭＡとして提示したリーチ前予告とは異なるリーチ前予告に強制的に書き換え（ステップＳ１３）、その後にステップＳ１４へ移行する。ステップＳ１２の判定結果が否定の場合、統括制御用ＣＰＵ３６ａは、ステップＳ２で決定したリーチ前予告が、第１のミッションＭＡとして提示したリーチ前予告と一致しないので、ステップＳ１４へ移行する。
【００８４】
ステップＳ１４に移行した統括制御用ＣＰＵ３６ａは、リーチ図柄が、第２のミッションＭＢとして提示したリーチ図柄と一致するか否かを判定する。この判定結果が肯定の場合、統括制御用ＣＰＵ３６ａは、リーチ図柄を、第２ミッションＭＢとして提示したリーチ図柄とは異なるリーチ図柄に強制的に書き換え（ステップＳ１５）、その後にステップＳ１６へ移行する。ステップＳ１４にて統括制御用ＣＰＵ３６ａは、リーチ図柄同士が異なる場合、及び今回の図柄変動ゲームでリーチ演出が行われない場合、ステップＳ１４を否定判定する。ステップＳ１４の判定結果が否定の場合、統括制御用ＣＰＵ３６ａは、リーチ図柄が、第２のミッションＭＢとして提示したリーチ図柄と一致しないので、ステップＳ１６へ移行する。
【００８５】
ステップＳ１６に移行した統括制御用ＣＰＵ３６ａは、ステップＳ２で決定したリーチ後予告が、第３のミッションＭＣとして提示したリーチ後予告と一致するか否かを判定する。この判定結果が肯定の場合、統括制御用ＣＰＵ３６ａは、ステップＳ２で決定したリーチ後予告を、第３のミッションＭＣとして提示したリーチ後予告とは異なるリーチ後予告に強制的に書き換え（ステップＳ１７）、その後にステップＳ１８へ移行する。ステップＳ１６の判定結果が否定の場合、統括制御用ＣＰＵ３６ａは、ステップＳ２で決定したリーチ後予告が、第３のミッションＭＣとして提示したリーチ後予告と一致しないので、ステップＳ１８へ移行する。
【００８６】
次に、表示制御基板３７について説明する。
表示制御基板３７の表示制御用ＣＰＵ３７ａは、変動パターン指定コマンドを入力すると、該コマンドに指示される変動パターンに対応する演出内容（ゲーム用の表示パターン）を選択し、該演出内容で図柄変動ゲームを行わせるように画像表示部ＧＨの表示内容を制御する。このとき、表示制御用ＣＰＵ３７ａは、選択した演出内容をもとに表示制御用ＲＯＭ３７ｂの画像データを用いて前記演出内容に沿った画像を表示するための表示用データを生成する。そして、表示制御用ＣＰＵ３７ａは、図柄変動ゲームの開始に伴って該ゲームの開始からの経過時間を計時し、その計時した時間と表示用データをもとに画像表示部ＧＨに映し出す画像を所定の制御周期毎に切り替える。そして、表示制御用ＣＰＵ３７ａは、図柄変動ゲーム中に図柄停止コマンドを入力すると、飾図指定コマンドで指示された飾り図柄を画像表示部ＧＨに確定停止表示させるように画像表示部ＧＨの表示内容を制御し、図柄変動ゲームを終了させる。
【００８７】
また、表示制御用ＣＰＵ３７ａは、リーチ前予告指定コマンド及びリーチ後予告指定コマンドを入力すると、これらのコマンドに指示される演出内容の予告演出（リーチ前予告とリーチ後予告）を図柄変動ゲームにおいて規定した出現タイミングで行わせるように画像表示部ＧＨの表示内容を制御する。
【００８８】
また、表示制御用ＣＰＵ３７ａは、モード演出コマンドを入力し、該コマンドで指示されたモード（ミッション演出の非実行中、ミッション演出の発生時、ミッション演出中、ミッション演出の終了時）にしたがって画像表示部ＧＨの表示内容を制御する。すなわち、表示制御用ＣＰＵ３７ａは、ミッション演出の非実行中を指示するモード演出コマンドを入力した場合、画像表示部ＧＨの表示内容をミッション演出が発生していない通常の表示内容に制御する。
【００８９】
また、表示制御用ＣＰＵ３７ａは、ミッション演出の発生時を指示するモード指定コマンドを入力した場合、画像表示部ＧＨの表示内容をミッション演出の発生時の表示内容に制御する。具体的には、ミッション演出が開始することを遊技者に報知した後、画像表示部ＧＨに情報表示領域Ｚ１〜Ｚ４を形成し、遊技者に提示する３つのミッションを情報表示領域Ｚ１〜Ｚ３に表示させるとともにミッション演出の付与期間を情報表示領域Ｚ４に表示させる。図９（ａ）は、ミッション演出の発生時の画像表示部ＧＨを示す。図９（ａ）に示すように、画像表示部ＧＨの情報表示領域Ｚ１には、ミッション指定コマンドに指定される第１のミッションＭＡを示す情報（図９（ａ）では「ステップ３を出してね」を例示する）が表示される。また、図９（ａ）に示すように、画像表示部ＧＨの情報表示領域Ｚ２には、ミッション指定コマンドに指定される第２のミッションＭＢを示す情報（図９（ａ）では「５でリーチをかけてね」を例示する）が表示される。また、図９（ａ）に示すように、画像表示部ＧＨの情報表示領域Ｚ３には、ミッション指定コマンドに指定される第３のミッションＭＣを示す情報（図９（ａ）では「キャラＡ群を出してね」を例示する）が表示される。また、図９（ａ）に示すように、画像表示部ＧＨの情報表示領域Ｚ４には、ミッション演出の付与期間を示す情報（図９（ａ）では「あと３０回  どれか１つを達成してね」を例示する）が表示される。表示制御用ＣＰＵ３７ａは、第１〜第３のミッションＭＡ〜ＭＣを示す情報を、ミッション演出の開始時に遊技者に一括して同時に提示するように画像表示部ＧＨの表示内容を制御する。
【００９０】
また、表示制御用ＣＰＵ３７ａは、ミッション演出中を指定するモード指定コマンドを入力した場合、画像表示部ＧＨの表示内容をミッション演出中の表示内容に制御する。すなわち、表示制御用ＣＰＵ３７ａは、前記モード指定コマンドを入力する毎に、情報表示領域Ｚ１〜Ｚ３の表示を維持する一方で、情報表示領域Ｚ４の表示を変更する。具体的に言えば、表示制御用ＣＰＵ３７ａは、情報表示領域Ｚ４に表示させるミッション演出の付与期間を示す情報の回数を、前記モード指定コマンドの入力毎に「あと３０回」→「あと２９回」→「あと２８回」→・・・「あと１回」というように変更する。
【００９１】
また、表示制御用ＣＰＵ３７ａは、ミッション演出の終了時を指定するモード指定コマンドを入力した場合、画像表示部ＧＨの表示内容をミッション演出の終了時の表示内容に制御する。すなわち、表示制御用ＣＰＵ３７ａは、ミッション演出が終了する図柄変動ゲームの終了とともにミッション演出の終了を遊技者に報知するとともに、情報表示領域Ｚ１〜Ｚ４及び表示された情報を画像表示部ＧＨから非表示とし、ミッション演出が発生していない通常の表示内容に戻すように制御する。
【００９２】
また、表示制御用ＣＰＵ３７ａは、達成演出指定コマンドを入力した場合、画像表示部ＧＨの表示内容をミッション達成時の表示内容に制御する。具体的には、図９（ｂ）に示すように、ミッション達成を遊技者に報知する情報（図９（ｂ）では「達成！」）を画像表示部ＧＨに表示させる。このとき、表示制御用ＣＰＵ３７ａは、ミッションを達成した時点で直ぐに前記情報（「達成！」）を画像表示部ＧＨに表示させる。すなわち、表示制御用ＣＰＵ３７ａは、リーチ前予告のミッション達成演出を指示する達成演出指定コマンドを入力した場合、リーチ前予告の出現後、直ぐに前記情報（「達成！」）を画像表示部ＧＨに表示させる。また、表示制御用ＣＰＵ３７ａは、リーチ成立後のミッション達成演出を指示する達成演出指定コマンドを入力した場合、リーチ図柄によるリーチ成立後（リーチ形成後）、直ぐに前記情報（「達成！」）を画像表示部ＧＨに表示させる。また、表示制御用ＣＰＵ３７ａは、リーチ後予告のミッション達成演出を指示する達成演出指定コマンドを入力した場合、リーチ後予告の出現後、直ぐに前記情報（「達成！」）を画像表示部ＧＨに表示させる。そして、ミッション達成演出を表示させた表示制御用ＣＰＵ３７ａは、画像表示部ＧＨの表示内容を通常の表示内容に戻すように制御する。
【００９３】
このように構成した本実施形態のパチンコ遊技機１０では、ミッション演出の開始時に、複数（３つ）のミッション（課題）が、遊技者に対して一括して同時に提示されることになる。このミッションの提示は、ミッション演出の開始時のみに行われる。また、本実施形態のミッション演出で提示するミッションは、リーチ前予告、リーチ図柄及びリーチ後予告であり、これらのミッションは図柄変動ゲーム中において出現するタイミングが異なる演出となっている。このため、ミッション演出を伴う図柄変動ゲームでは、これらの演出が出現する全てのタイミングで大当りを期待し、例えばリーチ前予告がミッションと異なる内容であっても、次のリーチ形成時におけるリーチ図柄に対して期待を抱くことが可能となる。そして、ミッション演出中に大当りとなる図柄変動ゲームが行われる場合には、当該図柄変動ゲームにおいて提示されたミッションの１つが必ず達成されることになる。このミッション達成の過程としては、大当りとなる図柄変動ゲームで出現するリーチ前予告、リーチ図柄及びリーチ後予告として提示されたミッションと同一のものを偶発的に選択し、出現する場合と、内部制御（演出書き換え）によって提示されたミッションと同一のものを強制的に選択し、出現する場合がある。しかし、何れの過程でミッション達成に至ったか、遊技者には判断することができない。
【００９４】
したがって、本実施形態によれば、以下に示す効果を得ることができる。
（１）ミッション演出では、ミッション（課題）として、図柄変動ゲーム中の出現タイミングが異なる複数の演出（リーチ前予告、リーチ図柄、リーチ後予告）が提示される。すなわちミッション演出を伴う図柄変動ゲームでは、前記演出の出現による大当りの期待を抱く時間的ポイントが複数存在する。このため、遊技者は、１つの大当りを期待する時間的ポイント（提示された演出が出現するポイント）で提示された演出が出現しなかった場合でも、他の演出が出現する時間的ポイントの到来によって当該演出の出現を期待し得る。したがって、ミッション演出中における大当りへの期待感を継続して抱くことができる。
【００９５】
（２）また、ミッション演出の開始時には、ミッションとして複数の演出が一括して提示されるので、ミッション演出の開始時から提示された複数の演出の出現に対する期待を抱くことができ、興趣の向上を図ることができる。
【００９６】
（３）ミッション演出は、３０回の図柄変動ゲーム（連続する２回以上の図柄変動ゲーム）を実行可能な期間継続して付与する。このため、１回の図柄変動ゲームでミッションを達成できなかったとしても、次回以降の図柄変動ゲームにおける前記ミッションの達成を期待させることができる。
【００９７】
（４）ミッションとして提示される演出を予告演出やリーチ図柄に設定したので、これらの演出の出現タイミングにおいて予告演出の内容や、画像表示部ＧＨに停止表示される図柄の種類に興味を持たせることができる。
【００９８】
（５）ミッションとしてリーチ前予告と、リーチ図柄と、リーチ後予告を提示するようにした。リーチ前予告は、図柄変動ゲームが大当りとなる場合の前提となるリーチが形成される前に行われる演出であるので、当該予告の内容によって大当りとなるか否かの期待を持ちつつ、大当りの前提となるリーチの形成に対する期待を抱かせることになる。また、リーチ図柄は、リーチの形成に対する期待とともに、何れの図柄（例えば、確変大当りを認識し得る図柄なのか、又は非確変大当りを認識し得る図柄なのか）でリーチが形成されるか否かに注目する。そして、リーチ後予告演出は、その内容によって大当りが形成されるか否かの期待が変化し、大当りに対する期待を抱かせる演出である。このため、ミッション演出で提示する演出として、これら遊技者の抱く期待内容が異なる３種類の演出を選択することで、これらの演出が出現するタイミングで遊技者が抱く期待に加えて、課題を達成し得るか否かという期待を抱くことができ、ミッション演出の興趣を効果的に高めることができる。
【００９９】
なお、上記実施形態は以下のように変更してもよい。
○  本実施形態では、ミッション演出において３つのミッションを提示したが、出現するタイミングが異なる演出であることを条件として、提示するミッションの数を３つに限らず、２つ以上の数に変更しても良い。
【０１００】
○  本実施形態では、出現するタイミングが異なる演出を各１つずつ選択し、ミッションとして提示しているが、出現するタイミングが異なる演出を２つ以上ミッションとして提示した上で、これらの演出で提示するミッションの数を複数にしても良い。例えば、１つのリーチ前予告と、１つのリーチ後予告を提示し、リーチ図柄を「１」と「８」というように同一タイミングで出現する演出について複数のミッションを提示しても良い。
【０１０１】
○  本実施形態において、ミッションとして提示する演出を変更しても良い。例えば、「□□リーチを出してね」というようにリーチ演出の内容をミッションとして提示しても良い。また、本実施形態のパチンコ遊技機１０のように５ライン機の場合には、リーチ図柄を指定せずに「ダブルリーチを形成してね」というようにリーチの形成態様をミッションとして提示しても良い。また、リーチ前予告の内容やリーチ後予告の内容は、段階予告やキャラ群予告に限らず、背景変化予告やすべり予告など、その他の予告演出の内容をミッションとして提示しても良い。
【０１０２】
○  実施形態において、ミッション演出の継続期間として設定する図柄変動ゲームの回数を、例えば「１０回」「２０回」「４０回」などに変更しても良い。また、ミッション演出の継続期間として「３分」「５分」などの時間を設定しても良い。
【０１０３】
○  実施形態では、ミッション演出中に大当りとなる図柄変動ゲームが行われる場合において第１〜第３のミッションＭＡ〜ＭＣに合致する演出が選択されていないとき、リーチ後予告の内容をミッションに合致するよう強制的に書き換えていたが、書き換えを行わないようにしても良い。すなわち、ミッション演出中に、ミッションとして提示された演出が出現することなく大当りとなる図柄変動ゲームが行われても良い。
【０１０４】
○  実施形態において、ミッション演出中に大当りとなる図柄変動ゲームが行われる場合であって、第１〜第３のミッションＭＡ〜ＭＣに合致する演出が選択されていないとき、リーチ前予告やリーチ図柄の書き替えを行うことにより、ミッションを達成させるようにしても良い。
【０１０５】
○  実施形態では、１つのミッションの達成によって大当り図柄を導出させるように構成しているが、複数のミッションの達成によって大当り図柄を導出させるようにしても良い。
【０１０６】
○  実施形態において、サブ統括制御基板３６の処理を表示制御基板３７で行うように構成しても良い。
○  実施形態は、５本の有効ラインＬ１〜Ｌ５が形成されるパチンコ遊技機１０に具体化したが、１本、２本、又は８本などの有効ラインが形成されるパチンコ遊技機に具体化しても良い。
【０１０７】
○  実施形態では、ミッション演出のミッションとしてリーチ前予告と、リーチ図柄と、リーチ後予告の３種類を一義的に決定しているが、常に３種類のミッションを提示する必要はなく、例えば２種類のミッションを提示する場合や４種類のミッションを提示する場合を設定しても良い。すなわち、提示するミッション数を変化させても良い。
【０１０８】
○  実施形態において、ミッション演出の終了契機を規定回数（本実施形態では３０回）の到達のみとし、規定回数に達する前に大当りとなった場合には、大当り遊技終了後に残りの回数分だけミッション演出を継続させるようにしても良い。
【図面の簡単な説明】
【０１０９】
【図１】パチンコ遊技機の機表側を示す正面図。
【図２】演出表示器を示す正面図。
【図３】パチンコ遊技機の電気的構成を示すブロック図。
【図４】変動パターン振分けテーブルを示す模式図。
【図５】ミッション演出のミッションが出現するタイミングを示すタイミングチャート。
【図６】（ａ）は第１ミッション振分けテーブルを示す模式図、（ｂ）は第２ミッション振分けテーブルを示す模式図、（ｃ）は第３ミッション振分けテーブルを示す模式図。
【図７】変動開始時処理を示すフローチャート。
【図８】変動開始時処理を示すフローチャート。
【図９】（ａ）はミッション演出発生時における画像表示部の表示内容を示す模式図、（ｂ）はミッション達成時における画像表示部の表示内容を示す模式図。
【符号の説明】
【０１１０】
Ｈ１…特別図柄表示器、Ｈ２…演出表示器、ＭＡ〜ＭＣ…第１〜第３のミッション、１０…パチンコ遊技機、３６…サブ統括制御基板、３６ａ…統括制御用ＣＰＵ、３６ｂ…統括制御用ＲＯＭ、３６ｃ…統括制御用ＲＡＭ、３７…表示制御基板、３７ａ…表示制御用ＣＰＵ、３７ｂ…表示制御用ＲＯＭ、３７ｃ…表示制御用ＲＡＭ。
【図１】
2008125626.tif 000003
【図２】
2008125626.tif 000004
【図３】
2008125626.tif 000005
【図４】
2008125626.tif 000006
【図５】
2008125626.tif 000007
【図６】
2008125626.tif 000008
【図７】
2008125626.tif 000009
【図８】
2008125626.tif 000010
【図９】
2008125626.tif 000011